(57)【要約】  【課題】  商品を効果的に展示するブリスター包装体を提供する。  【解決手段】  商品を収納して展示するブリスター包装体であって、表側に配置されるブリスター部と、裏側に配置される板部と、前記ブリスター部と前記板部との間に配置される表示部とを含み、前記ブリスター部は、ベース部と、前記ベース部から突出するように形成される収納部と、前記ベース部から突出するように形成され、前記収納部の周囲に配置される高位部と、を含み、前記表示部は、表示面の一部が表側に突出して形成される表示凸部を含み、前記表示凸部は、前記高位部の裏側に沿って配置されるブリスター包装体。【選択図】  図１
2019006485.tif 000002
【特許請求の範囲】
【請求項１】
商品を収納して展示するブリスター包装体であって、
表側に配置されるブリスター部と、
裏側に配置される板部と、
前記ブリスター部と前記板部との間に配置される表示部とを含み、
前記ブリスター部は、
ベース部と、
前記ベース部から突出するように形成される収納部と、
前記ベース部から突出するように形成され、前記収納部の周囲に配置される高位部と、を含み、
前記表示部は、表示面の一部が表側に突出して形成される表示凸部を含み、
前記表示凸部は、前記高位部の裏側に沿って配置される
ことを特徴とするブリスター包装体。
【請求項２】
請求項１に記載のブリスター包装体であって、
前記表示凸部は、商品の一部を覆っている
ことを特徴とするブリスター包装体。
【請求項３】
請求項１又は２に記載のブリスター包装体であって、
前記表示部には、商品提供会社のイメージ又は商品提供会社の商品或いは商品群のイメージを表すキャラクター表示が表示される
ことを特徴とするブリスター包装体。
【請求項４】
請求項１〜３のいずれか一項に記載のブリスター包装体であって、
前記高位部の前記ベース部からの突出の度合いが、前記収納部の前記ベース部からの突出の度合いよりも大きい
ことを特徴とするブリスター包装体。
【請求項５】
請求項１〜４のいずれか一項に記載のブリスター包装体であって、
前記高位部の表面によって、前記ブリスター包装体の表側の重ね置き用の当接面が構成される
ことを特徴とするブリスター包装体。
【請求項６】
請求項１〜５のいずれか一項に記載のブリスター包装体であって、
前記高位部は、その一部に傾斜面を含む
ことを特徴とするブリスター包装体。
【請求項７】
請求項３に記載のブリスター包装体であって、
前記キャラクター表示には、商品提供会社のロゴの色彩が付されている
ことを特徴とするブリスター包装体。
【請求項８】
請求項１〜７のいずれか一項に記載のブリスター包装体であって、
前記表示部には、商品の使用状態を示す商品使用状態表示が表示され、
前記商品の使用状態表示は、商品部と、使用対象物部と、成果物部とを含んで構成されている
ことを特徴とするブリスター包装体。
【請求項９】
請求項１〜８のいずれか一項に記載のブリスター包装体であって、
前記表示部には、訴求文字表示が表示され、
前記訴求文字表示は、文字に図案が重ねられて構成されている
ことを特徴とするブリスター包装体。
【請求項１０】
請求項１〜９のいずれか一項に記載のブリスター包装体であって、
前記ブリスター包装体の裏側には、商品の機能性の高い部分を視認するためのブリスター部である裏窓部が配置されている
ことを特徴とするブリスター包装体。
【請求項１１】
請求項１０に記載のブリスター包装体であって、
前記裏窓部の周辺には、視認対象の説明図又は解説が配置されている
ことを特徴とするブリスター包装体。
【発明の詳細な説明】
【技術分野】
【０００１】
本発明は、ブリスター包装体に関する。
【背景技術】
【０００２】
商品の包装及び陳列にブリスター包装体ないしブリスターパッケージが用いられることがある。ブリスター包装体には、台紙と、台紙に被せて商品を保持するブリスターとを含むものがある（例えば、特許文献１を参照）。
【先行技術文献】
【特許文献】
【０００３】
【特許文献１】特開２００５−２２７４７号公報
【発明の概要】
【発明が解決しようとする課題】
【０００４】
このようなブリスター包装体は、店頭において商品を包装（収納）した状態で包装体ごと陳列されるため、商品に関する情報を消費者に提示する媒体としても用いられている。
【０００５】
上記ブリスター包装体は、ブリスターの一部に台紙の一部を露出せしめるカット部を設けて値札シール等の粘着シールを台紙に貼り付けることで、値札シール等の貼付けに対応している。しかし、値段以外の商品に関する情報を提示したいという要望には十分に応えられていない。
【０００６】
また、ブリスター包装体は、フック等に吊り下げられた吊下状態で陳列されることが多いため、ブリスターと台紙との間で商品を保持する必要がある。そのため、ブリスターに設けられる商品収納部は、商品の外形に沿って表側に突出した形状に設けられることが多い。
【０００７】
しかし、このような商品の外形に沿った収納部を有するブリスター包装体は、吊下状態における商品保持機能としては優れているものの、棚に積み重ねて重ね置きして陳列する場合や積み重ねて運搬する場合などでは、平置状態に置かれるため、荷崩れしやすいという問題がある。
【０００８】
本発明は、上記課題の少なくとも一つを解決するためのものであり、商品を効果的に展示するブリスター包装体を提供することを目的としている。
【課題を解決するための手段】
【０００９】
上記課題を解決するために、本発明に係るブリスター包装体は、商品を収納して展示するブリスター包装体であって、表側に配置されるブリスター部と、裏側に配置される板部と、前記ブリスター部と前記板部との間に配置される表示部とを含み、前記ブリスター部は、ベース部と、前記ベース部から突出するように形成される収納部と、前記ベース部から突出するように形成され、前記収納部の周囲に配置される高位部と、を含み、前記表示部は、表示面の一部が表側に突出して形成される表示凸部を含み、前記表示凸部は、前記高位部の裏側に沿って配置される。
【００１０】
また、前記表示凸部は、商品の一部を覆っていてもよい。
【００１１】
また、前記表示部には、商品提供会社のイメージ又は商品提供会社の商品或いは商品群のイメージを表すキャラクター表示が表示されてもよい。
【００１２】
また、前記高位部の前記ベース部からの突出の度合いが、前記収納部の前記ベース部からの突出の度合いよりも大きくてもよい。
【００１３】
また、前記高位部の表面によって、前記ブリスター包装体の表側の重ね置き用の当接面が構成されてもよい。
【００１４】
また、前記高位部は、その一部に傾斜面を含んでもよい。
【００１５】
また、前記キャラクター表示には、商品提供会社のロゴの色彩が付されていてもよい。
【００１６】
また、前記表示部には、商品の使用状態を示す商品使用状態表示が表示され、前記商品の使用状態表示は、商品部と、使用対象物部と、成果物部とを含んで構成されていてもよい。
【００１７】
また、前記表示部には、訴求文字表示が表示され、前記訴求文字表示は、文字に図案が重ねられて構成されていてもよい。
【００１８】
また、前記ブリスター包装体の裏側には、商品の機能性の高い部分を視認するためのブリスター部である裏窓部が配置されていてもよい。
【００１９】
また、前記裏窓部の周辺には、視認対象の説明図又は解説が配置されていてもよい。
【発明の効果】
【００２０】
本発明によれば、商品を効果的に展示するブリスター包装体を提供することができる。
【図面の簡単な説明】
【００２１】
【図１】実施形態１に係るブリスター包装体を説明するための図である。
【図２】実施形態１に係るブリスター包装体を説明するための図である。
【図３】実施形態１に係るブリスター包装体の構成部分を説明するための図である。
【図４】実施形態１に係るブリスター包装体のブリスター部を説明するための図である。
【図５】実施形態１に係るブリスター包装体のブリスター部を説明するための図である。
【図６】実施形態１に係るブリスター包装体の表示部を説明するための図である。
【図７】実施形態１に係るブリスター包装体の表示部を説明するための図である。
【図８】実施形態１の変形例１に係るブリスター包装体の構成部分を説明するための図である。
【図９】実施形態１の変形例１に係るブリスター包装体を説明するための図である。
【図１０】他の例に係るブリスター包装体を説明するための図である。
【発明を実施するための形態】
【００２２】
以下、図面を参照して本願に係るブリスター包装体の実施形態の例を説明する。以下の説明では、吊下状態を基準にして、消費者（使用者）に面する側を表側（正面側、前方）、その反対側を裏側（背面側、後方）と記載する。また、特に説明を伴う場合を除き、ブリスター包装体の吊下状態を基準に、上側、下側、左側、右側等を記載する。
【００２３】
＜実施形態１＞
図１〜図３は実施形態１に係るブリスター包装体１を説明するための図である。
【００２４】
商品Ｐは、図１に示すようなブリスター包装体１に包装された状態で店頭に展示（陳列）される。詳細は後述するが、ブリスター包装体１は、商品が視認可能な領域と、黄色と黄緑色からなる「ののじカラー」の衣装を着た人物キャラクターを含むキャラクター表示とを含む。
【００２５】
ブリスター包装体１は、例えば、キャラクター表示３２１、商品使用状態表示３２２、訴求文字表示３２３を含む。好ましくは、商品使用状態表示３２２が比較的大きな領域を占めるように配置され、これと一部重なるようにキャラクター表示３２１が左下に配置され、訴求文字表示３２３が右側に縦に配置される。
【００２６】
キャラクター表示３２１は、商品提供会社のイメージや商品提供会社の商品群のイメージを表すもので、商品提供会社のロゴ（ロゴタイプ）の色彩が付される。例えば、商品提供会社の登録商標が装飾化された文字「ののじ」によるもので黄緑色と黄色の色彩を含むものである場合、キャラクター表示３２１には黄緑色と黄色の色彩が付される（「ののじカラー」ともいう。）。
【００２７】
商品使用状態表示３２２は商品が使用されている状態を表すもので、使用された結果得られる成果物が目立つように表れる。例えば、成果物部分が商品Ｐの頂点を超えて左上に延びて角部まで切り込んでいる。訴求文字表示３２３は、商品や成果物の特徴を図案化された文字で消費者に訴えかけるものである。
【００２８】
ブリスター包装体１は、このような表示を含むことで、特定の商品提供会社の商品群であることを表すことができる。また、キャラクター表示３２１、商品使用状態表示３２２、訴求文字表示３２３を組み合わせることで、商品提供会社、商品の特徴、得られる成果物をイメージと文字の両方でまとまりよく表示して、商品を効果的に展示することができる。
【００２９】
以下では、本発明に係るブリスター包装体１の構成の一例を詳述する。なお、上記キャラクター表示３２１、商品使用状態表示３２２、訴求文字表示３２３は、商品を包装し展示する包装体に使用されればよく、ブリスター部を用いる包装体に限定するものではない。
【００３０】
図３に示すように、ブリスター包装体１は、表側を構成する透明なブリスター部２と、裏側を構成する板部４と、ブリスター部２と板部４との間に配置され、商品Ｐに関する情報を表示する表示部３とを含む。一例として、ブリスター包装体１は、図示のように、ブリスター部２を裏返しし、商品Ｐを載置してから、表示部３を配置し、板部４で裏側を封じることで、商品Ｐを包装し、保持する。なお、図示しないが、商品Ｐを表示部３の適切な位置に配置してから、商品Ｐと表示部３を裏返しされたブリスター部２に載置し、板部４で裏側を封ずるようにしてもよい。
【００３１】
図２に示すように、ブリスター包装体１は、さらに、ブリスター部２の表側に貼り付けるシール５を含んでもよい。シール５には、商品Ｐに関する情報が表示され、例えば商品Ｐが調理器具である場合には、商品Ｐを使用して調理された献立や料理の画像などが表示される。
【００３２】
図４及び図５は、ブリスター部２の一例を示す図である。ここでは、ブリスター部２が、ベース部２１と、収納部２２と、高位部２３、２４、２５とを含む例を説明する。ブリスター部２は、合成樹脂（例えば透明なＰＥＴ、ＰＶＣ、ＰＳ樹脂）など従来技術における素材を用いて形成される（ブリスタ・パックとも称される）。
【００３３】
ベース部２１は、ブリスター部２の枠組みないし土台の部分であり、上部の略中央に貫通穴である吊下穴２１１が設けられる。吊下穴２１１によって、ブリスター包装体１が店頭においてフック等に挿通され、吊下げられる。ここでは、ベース部２１が略矩形の例を図示しているが、ベース部２１は円形や楕円形など商品の形状や商品の販売戦略に応じて適切な形状に形成できる。
【００３４】
図３に示すように、ベース部２１の縁部には表側から裏側に折り返すように形成された挿入部２１２、２１３、２１４が設けられる。挿入部２１２、２１３、２１４によって形成されたベース部２１との間隙に、板部４の縁部が挿通される。なお、挿入部の数や位置は、これに限定されず、適宜設定できるものとする。
【００３５】
収納部２２は、商品Ｐが収納（載置）される部分で、ベース部２１から表側に突出するように形成される。収納部２２は、商品Ｐの外形に応じた大きさ、高さ（突出の度合い）、形状に形成される。
【００３６】
例えば、商品Ｐがピーラーである場合、収納部２２は、一例として、ブリスター部２の略中央に設けられ、上下方向の幅をピーラーの長手方向の長さよりやや大きく形成される。
【００３７】
収納部２２は、左右上下の少なくとも一方側の少なくとも一部を、商品の輪郭に沿う形状に形成して、輪郭部２２１とする。輪郭部２２１を設けることで、商品を載置する際（包装時）に位置決めしやすくなり、また、陳列（吊下げ）の際にも商品が位置ずれしにくくなる。
【００３８】
また、収納部２２は、商品の表面形状に凹凸がある場合、その表面を商品の凹凸に合わせた凹凸面とすることができる。さらに、商品の外形にある凹部や穴などと対応する凹下部を、収納部２２に設けて位置決め部とすることもできる。例えば、図示のように、商品Ｐの二つの貫通穴に対応した位置決め部２２２、２２３を設けることができる。位置決め部２２２及び位置決め部２２３は、表側に突出している収納部２２の表面の一部が裏側（ベース部側）に凹んで形成される。図３に示すように、ブリスター部２を裏返しした場合、位置決め部２２２、２２３は、収納部２２から突出した突出体となる。
【００３９】
収納部２２に位置決め部を設けることで、商品を包装する際に位置決めしやすくなり、また、陳列（吊下げ）の際にも商品が位置ずれしにくくなる。また、例えば複数の商品を重ねて箱詰めする際に位置決めしやすくなる。
【００４０】
高位部２３、２４、２５は、ベース部２１から表側に突出するように形成され、収納部２２よりも突出の度合い（高さ）が大きく形成される。高位部は収納部２２の周囲に位置し、高位部２３が収納部２２の右側、高位部２４が収納部２２の左側、高位部２５が収納部２２の上側に位置する。以下では、右側高位部２３、左側高位部２４、上側高位部２５と記載する。
【００４１】
右側高位部２３、左側高位部２４、上側高位部２５は、図示のように、収納部２２と突出元（突出基）部分が共通空間を有するように形成されてもよいし、図示しないが、それぞれ独自の空間を有するように独立して形成されてもよい。
【００４２】
右側高位部２３は、図示のように、収納部２２に近い内側の突出の度合いが、収納部２２から遠くなる外側の突出の度合いより大きく形成されて、内側に傾斜した傾斜面を有するように形成されてもよい。また、図示のように、右側高位部２３は、上下方向の幅（長さ）が収納部２２よりも大きく形成されることが望ましい。
【００４３】
左側高位部２４は、右側高位部２３と略同じ高さとなるように突出して形成される。右側高位部２３が傾斜面を有する場合は、その最も高い部分と略同じ高さとなるように形成される。図示のように、左側高位部２４は、上下方向の幅（長さ）が収納部２２よりも大きく形成されることが望ましい。
【００４４】
上側高位部２５は、右側高位部２３と左側高位部２４との間に位置し、これらと略同じ高さに形成される。
【００４５】
収納部２２は、右側高位部２３、左側高位部２４、上側高位部２５によって囲われる。ブリスター包装体１同士を重ねて重ね置きする場合やブリスター包装体１を裏返しした場合、高位部の表面が当接面となるため、収納部２２の表面による当接が回避される。これによって、収納部２２ないし商品Ｐが保護されるとともに、略平面となる当接面が形成されるため、荷崩れしにくくなる。
【００４６】
また、一般的に、ブリスターケースに収納され、棚に吊り下げられるタイプの商品は、包装紙で包装しにくい為、ギフト用に不向きである。そのため、ギフト向けの新たな包装方法が要求されるが、本願のブリスター包装体１は、周囲に設けられた高位部２３、２４により、例えば包装紙で包んだときに、略箱状に包装することができ、ギフトなどに採用しやすくなる。
【００４７】
なお、高位部は、上記に限定されるものではなく、収納部よりも表側に略平面の当接面を構成するものであればよい。例えば、収納部の左右又は上下の対向位置に二つ設けてもよいし、四つ設けてもよい。例えば、略矩形のブリスター部の場合、四つの角部のそれぞれに設けて、収納部の周囲に四つの高位部が形成されてもよい。また、高位部の上下方向、左右方向の幅も安定した当接面を構成するものであれば、適宜設定することができる。さらに、収納部の周囲に途切れのない高位部が形成され、収納部のみが凹んでいるような箱型であってもよい。
【００４８】
図６及び図７は、表示部３を説明するための図である。表示部３は、表示面３１と、表示面３１に表示される表示３２とを含む。表示部３は、表示面３１の一部が表側に突出して形成される表示凸部を含む。図６は表示面３１の一例を示す図、図７は表示面３１に表示される表示３２の例を示す図である。表示部３は、紙材や合成樹脂など従来技術における素材を用いて形成される。
【００４９】
表示面３１は、ブリスター部２の吊下穴２１１と対応した位置に、貫通穴である吊下穴３１１が設けられる。表示面３１は、一例として、商品領域３１２と、右側領域３１３と、左側領域３１４と、ベース領域３１５とを含む。
【００５０】
商品領域３１２は、商品の背面と当接する部分で、ブリスター部２の収納部２２と対応する領域である。
【００５１】
右側領域３１３は、ブリスター部２の右側高位部２３と対応する領域である。右側領域３１３と商品領域３１２との間及び右側領域３１３とベース領域３１５との間には、山折線及び谷折線からなる折線群が設けられる。この折線群を山折り及び谷折りすることで、右側領域３１３が商品領域３１３及びベース領域３１５よりも表側に突出するようになる。すなわち、ここでは、右側領域３１３が表示凸部を構成している。この表示凸部は、右側高位部２３の裏側に沿って配置される。これにより、使用状態時の迫力感や、折り線による立体感がでるので顧客の目にとまり易くなり、立体感からソリッド感も醸し出される。
【００５２】
また、右側領域３１３と商品領域３１２との間に切込線を設けてもよい。一例として、図示のように、右側領域３１３と商品領域３１２との間に二つの切込線３１３１が設けられる。好ましくは、少なくとも一つの切込線３１３１が商品領域３１２に食み出すように設けられる。これによって舌片状の部分が形成され、図１に示すように、商品Ｐが商品領域３１２とこの舌片状の部分との間に挟まれ、固定される。言い換えれば、商品Ｐの一部が右側領域３１２によって覆われる。
【００５３】
また、一例として、右側領域３１３と商品領域３１２と間に二つの商品側折線群３１３２が設けられ、これらは、二つの切込線３１３１の間、及び下側の切込線３１３１の下方にそれぞれ設けられる。右側領域３１３とベース領域３１５との間にはベース側折線群３１３３が設けられる。好ましくは、図示ように、商品側折線群３１３２の山折線と谷折線との間の間隔が、ベース側折線群３１３３の山折線と谷折線との間の間隔より小さく形成される。これによって、右側領域３１３はベース領域側から商品領域側に傾斜する傾斜面を形成する。
【００５４】
また、右側領域３１３と商品領域３１２との間には、図示のように切欠きが設けられ、図１に示すように、商品Ｐの一部がこの切欠きによって、右側領域３１３に覆われるようになっていてもよい。
【００５５】
左側領域３１４は、ブリスター部２の左側高位部２４と対応する領域である。ここでは、左側領域３１４が商品領域３１２と同じ平面を構成するように形成されているが、右側領域のように表側に突出するように形成されてもよい。
【００５６】
ベース領域３１５は、ベース部２１の背面と当接する領域である。ベース領域３１５の対応部分もブリスター部２の左側挿入部２１２、右側挿入部２１３、下側挿入部２１４に挿通される。なお、図示しないが、表示部３は、ベース領域３１５を有しないように形成されてもよい。
【００５７】
図７に示すように、前述したキャラクター表示３２１と、商品使用状態表示３２２と、訴求文字表示３２３は、表示面３１に表示される。
【００５８】
一例として、キャラクター表示３２１は、キャラクター部３２１１と、キャラクター３２１１が着用している被服部３２１２と、会社のロゴ（ロゴタイプ）部３２１３とが重ねて構成される。なお、キャラクター表示は、例えば、漫画、劇画、イラスト画、線画、二次元画像とも呼ばれるものなどであってもよい。
【００５９】
キャラクター部３２１１は、例えば漫画風に加工した人物を表すもので、その指先は上方を指している。上方を指す意味は、一番や上位を連想させたり、上の商品使用状態表示３２２を指すことを連想させたりするものである。
【００６０】
被服部３２１２には、会社のロゴの色彩が付される。例えば、図示のように、洋服に会社のロゴの主たる色彩（黄緑色）が付され、エプロンに従たる色彩（黄色）が付される。ロゴ部３２１３は、被服部３２１２のエプロンに重ねられる。
【００６１】
キャラクター表示３２１を表示面３１に表示することで、消費者に同一会社の商品や商品群であることが一目で分かるようにすることができる。また、会社のロゴの色彩を付することで、色彩から商品の提供者を認識させることができる。
【００６２】
一例として、商品使用状態表示３２２は、商品使用状態表示３２２は、商品部３２２１と、使用対象物部３２２２と、使用対象物に商品が使用された結果得られた成果物の表示である成果物部３２２３とを含んで構成される。
【００６３】
商品使用状態表示３２２を表示面３１表示することで、消費者が商品の機能や用途、使用シーンを一目で分かるようにすることができる。また、成果物のイメージを視覚的に表示することで商品の購買意欲を高めることができる。
【００６４】
一例として、訴求文字表示３２３は、文字部３２３１と、図案３２３２とが重ねられて構成される。文字部３２３１は、例えば成果物の特徴を文字で表すものであり、図案３２３２は、例えば成果物の特徴を模様等で表すものである。ここでは、商品使用状態表示３２２における成果物が網目に似ているため、文字部３２３１は「あみ目」という文字で構成される。また、成果物がワッフルを連想させる外形であるため、図案３２３２は、ワッフルの表面模様で構成される。訴求文字表示３２３は縦に配置されている。
【００６５】
訴求文字表示３２３を表示面３１に表示することで、視覚的なイメージをさらに文字で定義したり、模様で連想させたりして、商品ないし成果物の特徴を消費者に訴えかけることができる。
【００６６】
消費者は、ブリスター部２を透過して表示部３に表示される商品使用状態表示３２２を視認できる。右側高位部２３が表側に突出するように形成され、表示部３の右側領域３１２も表側に突出するように形成されているため、右側領域３１２に表示される成果物部の注目度が高くなる。また、右側領域３１３と商品領域３１２との間に切欠きを設けて、この切欠きよって商品の一部が成果物部に隠されるように配置すれば、さらに注目度を高めることができる。さらに、成果物部が左上に延びて角部に切り込んでいるように表示し、ブリスター部２の右高位部２３もこれに対応した舌片状にすれば、成果物部の注目度がさらに高まる。また、舌片状部分が高位部よりも縦方向に突出させることで効果を一層高めることができる。
【００６７】
キャラクター表示３２１は、右側領域３１３の下方に配置され、商品使用状態表示３２２よりも前方に配置される。これによって、キャラクター表示３２１の注目度が高くなる。また、キャラクター表示の指先が商品Ｐを指すようになり、商品を案内するような印象を与えることもできる。さらに、右側高位部２３及び右側領域３１３が商品側に傾斜するように形成されているため、キャラクター表示３２１が商品Ｐを案内する印象をさらに強められる。
【００６８】
訴求文字表示３２３は、左側領域３１４に配置され、商品使用状態表示３２２と一部が重なるようにその前方に配置される。これによって、訴求文字表示３２３が消費者にとっては右側配置となり、文字を右から読むという自然な流れに沿うものとなる。また、キャラクター表示の指先方向とも一致し、消費者にキャラクター表示３２１が訴えかけている印象を与えることができる。
【００６９】
板部４は、図３に示すように、略矩形の板状の部分である。板部４は、ブリスター部２の吊下穴２１１と対応した位置に、貫通穴である吊下穴４１が設けられる。板部４は、紙材や合成樹脂など従来技術における素材を用いて形成される。
【００７０】
＜実施形態１の変形例１＞
図８及び図９は、実施形態１の変形例１に係るブリスター包装体１ａを説明するための図である。ブリスター包装体１ａは、さらに、部分ブリスター部６（「裏窓部」とも記載する。）を含む。以下では、実施形態１のブリスター包装体１と共通する構成には、同様な符号を付してその説明を省略する。また、実施形態１におけるブリスター部２と共通する構成は、以下では「本体ブリスター部２」と記載する。
【００７１】
図８に示すように、部分ブリスター部６は、ベース部６１と、カバー部６２とを含む。部分ブリスター部６は、合成樹脂など従来技術における素材を用いて形成される。
【００７２】
カバー部６２は、商品Ｐの機能的な構成部分Ｐ１を覆う部分である。カバー部６２は、図示のように、ベース部６１から裏側に突出するように形成されることが望ましい。
【００７３】
表示部３及び板部４には、カバー部６２の位置及び大きさに応じた窓部３１６及び窓部４２がそれぞれ設けられる。窓部３１６及び窓部４２は、表示部３又は板部４を貫通する貫通穴又は切欠きである。カバー部６２が突出形状である場合、カバー部６２は窓部４２から裏側に突出するようになるが、重ね置きした場合でも、この部分はブリスター部２の高位部よりも低い収納部２２に当たるため、荷崩れしにくい。
【００７４】
図９に示すように、ブリスター包装体１ａは、さらに、部分ブリスター部６を設けることで、本体ブリスター部２からは見えない機能的構成部分を裏側から視認できるようになり、消費者に商品を効果的に展示することができる。言い換えれば、ブリスター包装体の裏側には、商品の機能性の高い部分を視認するためのブリスター部である裏窓部が配置されている。
【００７５】
例えば、商品Ｐがピーラーである場合、機能的構成部分であり、様々な態様に構成し得る刃の形状を、商品毎に明確に示すことができる。さらにその周辺に刃の説明、解説を入れる事でより一層のユーザーへの訴求を行う事が出来る。すなわち、裏窓部の周辺には、視認対象の説明図又は解説が配置されていてもよい。
【００７６】
なお、表示部３と板部４とは、図１０に示すように、一体的に形成され、両者の境目に設けられた折り線４３で折って使用するようにしてもよい。ここでは、縦折りしているものを図示しているが、横折りでもよい。さらに折り面に解説を表示したり、取り扱い説明書や保証書を印字してもよい。また、印字した用紙を封入する事も可能である。
【００７７】
以上、本発明に係るブリスター包装体の実施形態について説明したが、これらは本発明の実施形態の一例に過ぎず、本発明はこれらに限定されるものではない。本発明には、以上の各実施形態を組み合わせた形態や、様々な変形例が含まれる。
【符号の説明】
【００７８】
１、１ａ        ブリスター包装体
２              ブリスター部（全体ブリスター部）
２１            ベース部
２１１          貫通穴
２２            収納部
２３            右側高位部
２４            左側高位部
２５            上側高位部
３              表示部
３１            表示面
３１１          貫通穴
３１２          商品領域
３１３          右側領域
３１４          左側領域
３１５          ベース領域
３１６          窓部
３２            表示
３２１          キャラクター表示
３２２          商品使用状態表示
３２３          訴求文字表示
４              板部
４１            貫通穴
４２            窓部
４３            折り線
５              シール
６              部分ブリスター部（裏窓部）
６１            ベース部
６２            カバー部
【図１】
2019006485.tif 000003
【図２】
2019006485.tif 000004
【図３】
2019006485.tif 000005
【図４】
2019006485.tif 000006
【図５】
2019006485.tif 000007
【図６】
2019006485.tif 000008
【図７】
2019006485.tif 000009
【図８】
2019006485.tif 000010
【図９】
2019006485.tif 000011
【図１０】
2019006485.tif 000012
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
商品を収納して展示するブリスター包装体であって、
表側に配置されるブリスター部と、
裏側に配置される板部と、
前記ブリスター部と前記板部との間に配置される表示部とを含み、
前記ブリスター部は、
ベース部と、
前記ベース部から突出するように形成される収納部と、
前記ベース部から突出するように形成され、前記収納部の周囲に配置される高位部と、を含み、
前記表示部は、表示面の一部が表側に突出して形成される表示凸部を含み、
前記表示凸部は、前記高位部の裏側に沿って配置され、
前記ブリスター部は、前記収納部の長さ以上の長さを有する前記高位部を含む
ことを特徴とするブリスター包装体。
【請求項２】
請求項１に記載のブリスター包装体であって、
前記表示凸部は、商品の一部を覆っている
ことを特徴とするブリスター包装体。
【請求項３】
請求項１又は２に記載のブリスター包装体であって、
前記表示部には、商品提供会社のイメージ又は商品提供会社の商品或いは商品群のイメージを表すキャラクター表示が表示される
ことを特徴とするブリスター包装体。
【請求項４】
請求項１〜３のいずれか一項に記載のブリスター包装体であって、
前記高位部の前記ベース部からの突出の度合いが、前記収納部の前記ベース部からの突出の度合いよりも大きい
ことを特徴とするブリスター包装体。
【請求項５】
請求項１〜４のいずれか一項に記載のブリスター包装体であって、
前記高位部の表面によって、前記ブリスター包装体の表側の重ね置き用の当接面が構成される
ことを特徴とするブリスター包装体。
【請求項６】
請求項１〜５のいずれか一項に記載のブリスター包装体であって、
前記高位部は、その一部に傾斜面を含む
ことを特徴とするブリスター包装体。
【請求項７】
請求項３に記載のブリスター包装体であって、
前記キャラクター表示には、商品提供会社のロゴの色彩が付されている
ことを特徴とするブリスター包装体。
【請求項８】
請求項１〜７のいずれか一項に記載のブリスター包装体であって、
前記表示部には、商品の使用状態を示す商品使用状態表示が表示され、
前記商品の使用状態表示は、商品部と、使用対象物部と、成果物部とを含んで構成されている
ことを特徴とするブリスター包装体。
【請求項９】
請求項１〜８のいずれか一項に記載のブリスター包装体であって、
前記表示部には、訴求文字表示が表示され、
前記訴求文字表示は、文字に図案が重ねられて構成されている
ことを特徴とするブリスター包装体。
【請求項１０】
請求項１〜９のいずれか一項に記載のブリスター包装体であって、
前記ブリスター包装体の裏側には、商品の機能性の高い部分を視認するためのブリスター部である裏窓部が配置されている
ことを特徴とするブリスター包装体。
【請求項１１】
請求項１０に記載のブリスター包装体であって、
前記裏窓部の周辺には、視認対象の説明図又は解説が配置されている
ことを特徴とするブリスター包装体。